(57)【要約】【課題】オートクリア実行後に装置の設定をユーザ設定に戻した場合において、オートクリア実行前にどこまでユーザ設定をしたかがすぐに分かり、速やかにユーザ設定の続きを再開することができる画像形成装置を提供する。【解決手段】ユーザ設定の設定内容を記憶する記憶手段と、ユーザ設定中にユーザによる操作がない状態が所定時間経過すると、装置の設定を所定の標準設定にリセットするオートクリア手段と、前記オートクリア手段が実行された後に、ユーザの操作に基づき、装置の設定を標準設定から前記ユーザ設定に戻すオートクリア解除手段と、前記オートクリア解除手段が実行された場合、前記オートクリア手段が実行される前のユーザ設定の項目を、前記標準設定の項目と異なる形式で表示させる表示手段とを備える。【選択図】図４
2008164682.tif 000002
【特許請求の範囲】
【請求項１】
装置の設定が所定の標準設定である場合には標準設定の設定項目を表示させ、装置の設定が前記標準設定からユーザによるユーザ設定に変更された場合にはユーザ設定の設定項目を表示させる画像形成装置であって、
前記ユーザ設定の設定内容を記憶する記憶手段と、
前記ユーザ設定中にユーザによる操作がない状態が所定時間経過すると、装置の設定を標準設定にリセットするオートクリア手段と、
前記オートクリア手段が実行された後に、ユーザの操作に基づき、装置の設定を前記標準設定から前記オートクリア手段が実行される前のユーザ設定に戻すオートクリア解除手段と、
前記オートクリア解除手段が実行された場合、前記オートクリア手段が実行される前のユーザ設定の項目を、前記標準設定の項目と異なる形式で表示させる表示手段と、
を備える画像形成装置。
【請求項２】
前記表示手段が、前記オートクリア手段が実行される前のユーザによる設定の項目と前記標準設定の項目との色彩を異ならせて表示させる
請求項１記載の画像形成装置。
【発明の詳細な説明】
【技術分野】
【０００１】
本発明は、画像形成装置に関し、詳しくは、装置の設定を所定の標準設定にリセットするオートクリア機能を有する画像形成装置に関する。
【背景技術】
【０００２】
近年コピー、ファクシミリ、プリンタ、スキャナ等の複数の機能を兼ね備えたデジタル複合機が広く普及している。このような複合機では、ユーザは、用紙のサイズや向き、部数、倍率、濃度などの各種項目を装置の初期状態として標準設定しておくことができる。そして、ユーザが標準設定と異なる設定で複写する場合には、ユーザが所望の設定（以下、ユーザ設定という。）に変更してから複写する。
【０００３】
オートクリア機能では、例えばジョブの完了から一定時間が経過するまでに操作がなければ、ユーザによる設定を自動的に解除し、装置の設定を標準設定に戻す。これにより、変更された設定のまま他のユーザが意図しない結果を得るのを避けることができる。
【０００４】
ところが、ユーザの意図に反してユーザの設定指示がオートクリアされてしまう場合があった。例えばユーザが設定に手間取っている間に一定時間が経過した場合や、設定中に緊急の用事で（例えば電話がかかってきたとき）複合機の前から離れなければならなくなった場合には、所望のユーザ設定が完了しないうちにオートクリア機能が実行されてしまう。このような場合に備えて、例えば下記特許文献１には、オートクリア機能が実行された後であっても、装置の設定を、オートクリア機能実行前のユーザ設定に戻す画像形成装置が記載されている。これによれば、途中まで行っていた設定状態から続きの設定を行うだけでよく、所望のユーザ設定に速やかに再設定することができる。
【特許文献１】特開平１１−４５０３２号公報
【発明の開示】
【発明が解決しようとする課題】
【０００５】
ところが、オートクリア機能実行前のユーザ設定に戻されても、設定途中であったために本来ユーザが設定したいものからすると中途半端な設定内容になっている。このため、どこまでユーザ設定をしたかが分からなくなり、ユーザ設定の続きをする際に設定項目が標準設定の項目なのかユーザ設定の項目なのかを確認しなければならない。
【０００６】
本発明は、上記従来の問題を解決するために提案するものであって、オートクリア機能実行前にどこまでユーザ設定がなされたかが明確になり、次にどこから設定するべきかを容易に判断することができる画像形成装置を提供することを目的とする。
【課題を解決するための手段】
【０００７】
本発明の画像形成装置は、装置の設定が標準設定である場合には標準設定の設定項目を表示させ、装置の設定が前記標準設定からユーザによるユーザ設定にされた場合にはユーザ設定の設定項目を表示させることを前提とする。
【０００８】
本発明の画像形成装置は、前記ユーザ設定の設定内容を記憶する記憶手段と、ユーザ設定中にユーザによる操作がない状態が所定時間経過すると、装置の設定を所定の標準設定にリセットするオートクリア手段と、前記オートクリア手段が実行された後に、ユーザの操作に基づき、装置の設定を標準設定から前記ユーザ設定に戻すオートクリア解除手段とを備える。オートクリア解除手段は、記憶手段に記憶されたユーザ設定の内容を読み出すことによって、標準設定からユーザ設定に戻すことができる。
【０００９】
さらに、画像形成装置は、前記オートクリア解除手段が実行された場合、前記オートクリア手段が実行される前のユーザ設定の項目を、前記標準設定の項目と異なる形式で表示させる表示手段を備える。
【００１０】
前記表示手段は、例えばユーザによる設定の項目と前記標準設定の項目との色彩を異ならせて表示させても良い。なお、異なる形式の表示とは、ユーザ設定の項目と標準設定の項目との色彩を変更する以外に、例えば一方の設定項目を実線に他方の設定項目を破線にして表示させても良いし、あるいは一方の設定項目のみを点滅で表示させても良い。
【００１１】
以上のように、ユーザ設定の項目と、標準設定の項目（すなわち、ユーザ設定をしていない項目）との表示形式を異ならせることで、表示された設定項目が、標準設定によるものなのかユーザ設定によるものなのかの区別を明確にさせる。これにより、オートクリア手段が実行される前にユーザがどこまで設定したかが明確になり、次にどこから設定を再開すればいいのかを容易に判断することができる。
【発明の効果】
【００１２】
本発明の画像形成装置によれば、オートクリア手段の実行後に装置の設定をユーザ設定に戻した場合、前記オートクリア手段実行前にどこまでユーザ設定をしたかがすぐに分かり、オートクリア手段を解除した後速やかにユーザ設定の続きを行うことが出来る。
【発明を実施するための最良の形態】
【００１３】
以下、添付図面を参照して本発明の実施の形態について説明する。この実施の形態において、本発明はデジタル複写機として具体化される。
【００１４】
図１は本実施の形態における複写機の全体構成を示す図である。デジタル複写機１０１は、画像読取部１０２及び画像形成部１０３を備えており、画像読取部１０２の上側には、原稿送り装置１０４が開閉可能に取り付けられている。ユーザは、画像読取部１０２の筐体上面に配置されたコンタクトガラスのような原稿台１０５か、原稿送り装置１０４に原稿を載置する。
【００１５】
画像読取部１０２は、原稿の画像を読み取りその画像のデジタルデータを生成する。画像読取部１０２は、原稿台１０５の下方にラインイメージセンサ１０６および走査光学系１０７を有している。走査光学系１０７は、原稿からの反射光像をラインイメージセンサ１０６に導く。走査光学系１０７は、ラインイメージセンサ１０６と平行な主走査方向に沿って配置された線状の光源１０８、およびミラー１０９乃至１１１を有している。光源１０８は原稿を照明し、ミラー１０９乃至１１１は原稿からの反射光をラインイメージセンサ１０７の受光面に導く。光源１０８およびミラー１０９乃至１１１は副走査方向に往復動可能である。光源１０８およびミラー１０９乃至１１１が副走査方向に移動することによって、原稿台１０５に載置された原稿の２次元画像をラインイメージセンサ１０６で読み取ることができる。イメージセンサ１０６は、受光面に入射した光像から原稿の画像データを生成する。
【００１６】
画像読取部１０２は、原稿送り装置１０４に載置された原稿の画像を読み取ることもできる。原稿送り装置１０４には、原稿トレイ１１２、搬送路１１３および排紙トレイ１１４が備えられている。原稿送り装置１０４は、原稿トレイ１１２にセットされた原稿を１枚ずつ搬送路１１３へ送り出す。その搬送路１１３上には画像読取位置１１５がある。原稿送り装置１０４にセットされた原稿の画像を読み取る場合、画像読取部１０２は、光源１０８およびミラー１０９乃至１１１の副走査方向の位置を画像読取位置１１５に合わせて一時的に固定する。搬送路１１３上の原稿が画像読取位置１１５を通過するとき、光源１０８で原稿を照明し、原稿の画像を読み取る。画像読取位置１１５を通過した原稿は、排紙トレイ１１４に排出される。
【００１７】
画像形成部１０３は、画像読取部１０２で得た画像データや、ネットワークを通じて他の機器から受信した画像データを用紙に印刷する。画像形成部１０３には、感光体ドラム１１６が設けられている。この感光体ドラム１１６は、一定速度で矢印１１７の方向に回転する。感光体ドラム１１６の周囲には、回転方向の上流側から順に、帯電器１１８、露光器１１９、現像器１２０、転写器１２１などが配置されている。帯電器１１８は、感光体ドラム１１６表面を一様に帯電させる。露光器１１９は、一様に帯電した感光体ドラム１１６の表面に、画像データに応じて光を照射し、感光体ドラム１１６上に静電潜像を形成する。現像器１２０は、その静電潜像にトナーを付着させ、感光体ドラム１１６上にトナー像を形成する。転写器１２１は、感光体ドラム１１６上のトナー像を用紙に転写する。感光体ドラム１１６が回転することによりこれらのプロセスが一連で行われる。
【００１８】
画像形成部１０３は、給紙カセット１２２乃至１２４か給紙装置１２５から、感光体ドラム１１５と転写器１２１との間の転写部に用紙を給送する。給紙カセット１２２乃至１２４は、画像形成部１０３の下方に配置されており、それぞれ５００枚程度の用紙を収容する。給紙カセット１２２乃至１２４からの用紙は、搬送ローラ１２６によりレジストローラ１２７へ搬送される。レジストローラ１２７は、原稿の読取と同期して転写部に用紙を送り込む。転写部でトナー像を転写した用紙は、定着器１３０に搬送される。定着器１３０は、定着ローラ１３１および加熱ローラ１３２を有しており、熱と押圧力によってトナー像を用紙に定着する。画像形成部１０３は、定着器１３０を通過した用紙を排紙トレイ１３３へ排紙する。
【００１９】
図２は複写機における操作パネルの外観の一例を示す図である。ユーザは、操作パネル２０１を用いて、上述のような複写機に複写開始やその他の指示を与えたり、複写機の状態や設定を確認したりすることができる。操作パネル２０１には、タッチパネル付きディスプレイ２０２や操作キー２０３が配置されている。
【００２０】
ディスプレイ２０２は、設定部２０４およびメッセージ表示部２０５を有する操作画面を表示する。
【００２１】
設定部２０４には、用紙のサイズや向き、複写倍率、濃度などの設定を行う領域が設けられている。この設定部２０４により、複写機の設定を標準設定として初期設定しておくことができる。この標準設定の項目としては、用紙のサイズや向き、部数、倍率、濃度などの各種項目があり、それぞれの設定項目についてユーザが最も頻繁に使用する状態に設定する。例えば、用紙のサイズについては「自動用紙」に、部数については「１部」に、倍率については「等倍」に、濃度については「普通」に標準設定しておく。標準設定されている設定項目は設定部２０４に表示される。例えば、標準設定されている設定項目は黒色で表示され、設定されていない項目は白色で表示される。ユーザは、この表示を見て現在の複写機がどのように設定されているか、すなわち標準設定の設定内容を確認する。
【００２２】
またユーザは、設定部２０４により、複写機の設定を、前記標準設定から所望の設定（ユーザ設定）に変更することもできる。例えば、倍率を１．５倍に拡大したい場合は倍率の欄に「１５０％」と入力し、５部の部数を複写したい場合は部数の欄に「５部」と入力する。標準設定からユーザ設定に変更された内容は、設定部２０４に表示される。例えば、標準設定されていた設定項目が黒色から白色に表示され、ユーザ設定された設定項目が白色から黒色に表示される。ユーザは、この表示を見て複写機の設定がどのように変更されたか、すなわちユーザ設定の設定内容を確認する。
【００２３】
メッセージ表示部２０５は、コピーが可能かどうかや用紙の補給が必要かどうかなどの複写機の状態や、複写部数、複写倍率、選択された用紙のサイズなどの設定をユーザに知らせるメッセージを表示する。
【００２４】
操作キー２０３は、テンキー２０６やスタートキー２０７、クリアキー２０８を含む。テンキー２０６は、複写部数を指定したり、複写倍率を設定したりするのに用いることができる。ユーザがそれらの設定（すなわちユーザ設定）をすると、例えば「コピーできます（設定あり）。」のようなメッセージを表示部２０５に表示し、ユーザによる設定が行われたことを通知する。スタートキー２０７は、複写開始を指示するのに用いる。ユーザは、自身でした設定を解除する場合、クリアキー２０８を操作する。ユーザによる設定を機械が受け付けているかどうかは上述のメッセージで判断することができるので、その設定が不要になれば、クリアキー２０８を操作すればよい。それによって、複写機の設定はユーザが入力したユーザ設定から標準設定に戻る。
【００２５】
また、この実施形態では、ユーザが手動でユーザ設定を解除しない場合でも、そのユーザ設定を自動的に解除するオートクリア手段を有している。ユーザによる設定が行われてから一定期間が経過しても操作がない場合には、ユーザ設定を解除し、複写機の設定を標準設定に戻して初期化する。このオートクリア手段により、ユーザが入力したユーザ設定を毎回解除する必要はなく、また、他のユーザが意図せず標準設定以外の設定で複写をしてしまうのを避ける。
【００２６】
しかしながら、ユーザの意図に反してユーザ設定がオートクリアされてしまう場合があった。例えばユーザが設定に手間取り、ユーザ設定が完了しないうちにオートクリア手段が実行されてしまう場合がこれに該当する。
【００２７】
そこで、本実施形態の操作キー２０３には、装置の設定をオートクリア手段実行前のユーザ設定に戻すためのオートクリア解除キー２０９が含まれる。オートクリア解除キー２０９を操作することで、ユーザの意図に反してオートクリア手段が実行された場合であっても、複写機の設定を、オートクリア手段実行前までのユーザ設定に戻す。これにより、途中まで行っていたユーザ設定の続きから設定を再開することができる。
【００２８】
図３は複写機における制御系ハードウェアの概略構成図である。複写機１００本体の制御回路３０１は、上述のような設定や指示を受け付けて複写機を動作させたりする。その制御回路３０１には、操作パネルの回路３０２や給紙装置等のそれぞれの回路が接続される。
【００２９】
制御回路３０１は、ＣＰＵ（Central Processing Unit）３０３およびバス３０４を備えている。このバス３０４には、ＲＯＭ（Read Only Memory）３０５やＲＡＭ（Random Access Memory）３０６が接続されている。ＲＯＭ３０５には、制御プログラムおよび標準設定やその他のデータが格納されている。ＣＰＵ３０３は、ＲＯＭ３０５の制御プログラムを読み出して実行し、その制御プログラムが、同じくＲＯＭ３０５に記憶されている、各駆動部に対応するドライバとデータや命令を授受することにより各駆動部の動作を制御する。ＲＡＭ３０６は、ＣＰＵ３０３の作業領域として用いられたり一時的なデータ（例えば、ユーザ設定のデータ）を格納したりするのに用いられる。
【００３０】
制御回路３０１のバス３０４には、内部インターフェイス３０９も接続されている。内部インターフェイス３０９は、操作パネルの回路３０２やその他の回路を制御回路３０１と接続する。ＣＰＵ３０３は、内部インターフェイス３０９を通じて、操作パネル等の回路からの信号を受信したり、操作パネル等の回路へ信号を送信したりする。
【００３１】
操作パネルの回路３０２では、バス３１１に、ＣＰＵ３１２やタッチパネル３１３、ディスプレイ２０２、操作キー２０３、内部インターフェイス３１４を備える。操作キー２０３やタッチパネル３１３をユーザが操作すると、ＣＰＵ３２５は、内部インターフェイス３１４を通じて、その操作に基づく信号を制御回路３０１に送信する。例えば濃度や複写倍率を操作キー２０３やタッチパネル３１３でユーザ設定すると、その設定内容が制御回路３０１に送られる。制御回路３０１は、その設定内容にしたがって画像形成部を制御する。
【００３２】
次に、図４、図５を参照しながら、オートクリア機能が実行される場合の処理手順について説明する。図４は、本実施形態の複写機の機能ブロック図を示す。図５は、オートクリア機能が実行される場合の処理手順を示すフローチャートである。
【００３３】
ユーザが、標準設定の設定項目の一部を変更して、所望のユーザ設定に設定し直しているとする。このとき、複写機の設定受付手段は、ユーザによる設定入力を受け付けている状態にある（Ｓ１）。
【００３４】
ユーザ設定がなされると、ディスプレイ２０２には、表示手段４０４によって標準設定から変更したユーザ設定の項目、例えば複写部数、複写倍率、選択された用紙のサイズなどの設定項目が表示される（Ｓ２）。この表示により、ユーザは標準設定からどの設定項目を変更したかを確認する。
【００３５】
ある設定入力から所定時間が経過しても次の設定入力がない場合（Ｓ３）、ユーザが行ったユーザ設定の設定内容を記憶手段４０３に記憶する（Ｓ４）。記憶手段４０３は、前記ＲＡＭ３０６、ＲＯＭ３０５等で構成され、前記ユーザ設定を一時的に記憶する。また、後述するようにユーザ設定以外にも、標準設定の設定内容や、後述するオートクリアプログラム、オートクリア解除プログラム等の制御プログラムも記憶する。
【００３６】
ユーザ設定の設定内容が記憶手段４０３に記憶されると、オートクリア手段４０１が実行される（Ｓ５、Ｓ６）。オートクリア手段４０１は、ユーザによる操作がない状態が所定時間経過すると、複写機の設定を所定の標準設定にリセットする。具体的には、記憶手段４０３に記憶されているオートクリアプログラムが、同じく記憶手段４０３に記憶されている標準設定の設定内容を読み出し（Ｓ５）、複写機の設定をユーザ設定から標準設定に初期化する（Ｓ６）。
【００３７】
オートクリア手段が実行されると、ディスプレイ２０２には前記表示手段４０４によって標準設定の設定項目が表示される（Ｓ７）。この表示により、ユーザは複写機の設定が標準設定にリセットされたこと知ることができる。
【００３８】
以上が、オートクリア手段が実行される場合の処理手順である。
【００３９】
ところが、上記オートクリア手段がユーザの意図に反して実行される場合がある。具体的には例えば、ユーザ設定に手間取って全ての設定が完了していないのにオートクリア手段が実行される場合や、ユーザ設定中に複写機から離れなければならない用事ができ、その間にオートクリア手段が実行される場合等である。このような場合に備えて、本実施形態の複写機は、オートクリア手段が実行された後に、オートクリア機能を解除するオートクリア解除機能を備えている、
次に、図４、図６、図７を参照しながらオートクリア機能が解除される場合の処理手順について説明する。図６は、オートクリア機能が解除される場合の処理手順を示すフローチャートである。図７は、本実施形態におけるオートクリア機能が解除された場合のディスプレイの概観図を示す。
【００４０】
上述のように、ユーザの意図に反してオートクリア手段が実行された場合、ユーザはオートクリア解除キー２０９を押下する。
【００４１】
オートクリア解除キー２０９のキー入力を受け付けると（Ｓ１１）、オートクリア解除手段４０２によりオートクリアは解除される。オートクリア解除手段４０２は、オートクリア手段が実行された後に、ユーザのオートクリア解除キー２０９の操作に基づき、複写機の設定を標準設定からオートクリア手段が実行される前のユーザ設定に戻す。具体的には、記憶手段４０３に記憶されているオートクリア解除プログラムが、記憶手段４０３に記憶されているユーザ設定の設定内容を読み出すことで（Ｓ１２）、複写機の設定を標準設定からユーザ設定に戻す（Ｓ１３）。これにより、ユーザの意図に反してオートクリア手段が実行された場合であっても、ユーザは一から所望のユーザ設定に設定し直す必要はなく、オートクリア実行前に設定された状態から設定を再開することができる。
【００４２】
そして、オートクリア手段が解除されると、ディスプレイ２０２には、表示手段４０４によってオートクリア実行前のユーザ設定の設定項目が表示される（Ｓ１４）。
【００４３】
ここで、オートクリア手段が実行される前にユーザ設定が完了していなかった場合、ユーザ設定の続きをする。ところが、一度オートクリア手段４０１により標準設定に戻されているため、オートクリア実行前にどこまでユーザ設定をしたかをはっきりと記憶していない場合がある。このような場合には、どこから設定を再開すれば良いのかを判断できず、結局標準設定から変更しようとする全ての設定項目について確認しなければならなくなる。
【００４４】
そこで、本実施形態の表示手段４０４は、前記オートクリア解除手段４０２により装置の設定がユーザ設定に戻された場合、前記オートクリア手段が実行される前のユーザ設定の項目を、前記標準設定の項目（すなわち、ユーザ設定に変更していない設定項目）と異なる形式で表示させる（Ｓ１５）。異なる形式は、ユーザが変更したユーザ設定の項目と標準設定の項目とが明確に区別できれば特に限定はしない。本実施形態では、オートクリア手段が実行される前のユーザ設定の項目と標準設定の項目との色彩を異ならせて表示させる。例えば図７において、ユーザは「濃度設定」を「うすい」に、「出力条件」を「パンチング」に、「集約設定」を「２ｉｎ１」に設定変更している。この場合は、ユーザ設定の「うすい」「パンチング」「２ｉｎ１」７０１を例えば赤色で表示させる。他方、「倍率設定」、「紙種選択」、「両面設定」の設定項目については標準設定のまま（「倍率設定」は「等倍」、「紙種選択」は「普通紙」、「両面設定」は「片面→片面」）である。この場合は、標準設定の「等倍」「普通紙」「片面→片面」７０２を例えば黒色で表示させる。
【００４５】
以上のように、異なる形式で表示させることで、オートクリア手段が実行される前にユーザがどの設定項目を変更させたかが明確になり、更に設定変更を追加する場合にはどの設定項目を変更するかの判断が容易になる。
【００４６】
本発明は、プリンタ、ファクシミリ、複合機などデジタル複写機以外の画像形成装置に適用することも可能である。例えば複合機に本発明を適用する場合、複合機が有するスキャナ機能やプリント機能、ファクシミリ機能といった各種の機能毎にオートリクリア機能を解除するように制御してもよい。
【００４７】
上述のような前記オートクリアプログラムや前記オートクリア解除プログラムは、コンピュータ読取可能な媒体を用いて第三者に提供することができる。例えばプログラムの指令を電気信号や光信号、磁気信号などで表現し、その信号を搬送波に載せて送信することで、同軸ケーブルや銅線、光ファイバのような伝送媒体でそのプログラムを提供することができる。また上述の制御プログラムをコンピュータ読取可能な記録媒体に記録してもよい。コンピュータ読取可能な記録媒体としては、ＣＤ−ＲＯＭやＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷなどの光学メディアや、フレキシブルディスクのような磁気メディア、フラッシュメモリやＲＡＭのような半導体メモリを利用することができる。
【００４８】
上述した実施の形態は本発明の技術的範囲を制限するものではなく、既に記載したもの以外でも、本発明の範囲内で種々の変形や応用が可能である。
【００４９】
前述の実施形態では、ユーザ設定の項目と標準設定の項目を色彩を異ならせて表示させているが、これに限定するものではない。例えばオートクリア手段実行前のユーザ設定の設定項目を破線で表示させ、標準設定の設定項目を実線で表示させても良い。また、ユーザ設定の設定項目のみを点滅で表示させても良い。
【産業上の利用可能性】
【００５０】
本発明にかかる画像形成装置は、複写機やプリンタ、ファクシミリ装置、複合機など様々な機器に有用である。
【図面の簡単な説明】
【００５１】
【図１】本実施の形態における複写機の全体構成図。
【図２】本実施形態の複写機における操作パネルの外観図。
【図３】本実施形態の複写機における制御系ハードウェアの概略構成図。
【図４】本実施形態の複写機の機能ブロック図。
【図５】オートクリア機能が実行される場合の処理手順を示すフローチャート。
【図６】オートクリア機能が解除される場合の処理手順を示すフローチャート。
【図７】本実施形態におけるオートクリア機能が解除された場合のディスプレイの概観図。
【符号の説明】
【００５２】
１００  複写機
２０１  操作パネル
２０２  ディスプレイ
２０３  操作キー
２０４  設定部
２０９  オートクリア解除キー
３０１  制御回路
３０２  操作パネルの回路
３０３  制御回路のＣＰＵ
３０５  ＲＯＭ
３０６  ＲＡＭ
３１２  操作パネルのＣＰＵ
４０１  オートクリア手段
４０２  オートクリア解除手段
４０３  記憶手段
４０４  表示手段
４０５  設定受付手段
【図１】
2008164682.tif 000003
【図２】
2008164682.tif 000004
【図３】
2008164682.tif 000005
【図４】
2008164682.tif 000006
【図５】
2008164682.tif 000007
【図６】
2008164682.tif 000008
【図７】
2008164682.tif 000009